(57)【要約】【課題】充電部の状態に対する適応性と信頼性を両立した端子カバーを得ることを目的としている。【解決手段】電線５０が接続された状態の端子１２ｒのそれぞれに対して着脱自在の端子カバー２３であって、端子１２ｒのそれぞれに対して嵌合自在に形成され、端子１２ｒのそれぞれに嵌合された際に、当該端子１２ｒに接続された電線５０を囲む四方向のうち、操作面１ｆｔの反対側である設置面１ｆｂ側を開放して残りの三方向から電線５０を囲む固定部２３ｂと、設置面１ｆｂ側を開放して残りの三方向から電線５０を囲む状態を固定部２３ｂから連続するように固定部２３ｂから延長され、設置面１ｆｂに平行な面内での変形が可能な可撓部２３ｆと、を備える。【選択図】図９
2018152366.tif 000002
【特許請求の範囲】
【請求項１】
箱状の機器本体の操作面側から見たときの端部に単独あるいは複数の端子が配置された端子部に対し、電線が接続された状態の端子のそれぞれに対して着脱自在の端子カバーであって、
前記端子のそれぞれに対して嵌合自在に形成され、前記端子のそれぞれに嵌合された際に、当該端子に接続された電線を囲む四方向のうち、前記操作面の反対側である設置面側を開放して残りの三方向から前記電線を囲む固定部と、
前記設置面側を開放して残りの三方向から前記電線を囲む状態を前記固定部から連続するように前記固定部から延長され、前記設置面に平行な面内での変形が可能な可撓部と、
を備えたことを特徴とする端子カバー。
【請求項２】
前記可撓部は蛇腹状に形成されていることを特徴とする請求項１に記載の端子カバー。
【請求項３】
前記可撓部と前記固定部が一体形成されていることを特徴とする請求項１または２に記載の端子カバー。
【請求項４】
前記可撓部における前記固定部側の端部と、前記固定部から離れる方向の端面部分には、前記設置面側を開放して残りの三方向から前記電線を囲む形状を維持するための支持体が形成されていることを特徴とする請求項１から３のいずれか１項に記載の端子カバー。
【請求項５】
前記機器本体として、回路を開閉するための機構を内蔵し、前記操作面側に操作用ハンドルが設けられた開閉装置本体と、
前記端子部に装着された請求項１から請求項４のいずれか１項に記載の端子カバーと、
を備えたことを特徴とする開閉装置。
【発明の詳細な説明】
【技術分野】
【０００１】
本発明は、電線が接続される開閉装置の少なくとも充電部を覆う端子カバー、およびそれを備えた開閉装置に関するものである。
【背景技術】
【０００２】
従来から開閉装置は、一般的に壁面等に設置された状態で配線作業がなされ、その後、露出した導電部分（充電部）を覆うための端子カバーが取り付けられる。その際、配線作業者は、圧着端子や現場状況によって変わる配線形状、といった充電部の状態に応じて、例えば、長さの異なる端子カバーを使い分けて使用している。このため、作業対象の開閉装置数を上回る、数種類もの端子カバーをあらかじめ用意しておく必要があり、充電部の状態に応じてその都度選定を行う必要があった。
【０００３】
そこで、例えば、開閉装置本体と摺動可能なアダプターを用いて、充電部の長さに対応させる端子カバーや、長さ方向に継ぎ足し可能な連結用カバーを設けた端子カバーが提案されている（例えば、特許文献１、２参照。）。
【先行技術文献】
【特許文献】
【０００４】
【特許文献１】実公昭５９−３４０４０号公報（第２欄第２５行〜第４欄第１７行、第１図〜第３図）
【特許文献２】特開平０８−９６６８８号公報（段落００１６〜００１７、図１、段落００２０〜００２１、図６〜図７）
【発明の概要】
【発明が解決しようとする課題】
【０００５】
しかしながら、上述した摺動可能なアダプターを用いた端子カバーでは、外部に対して充電部から保護する機能は有するものの、極間に隙間があるため、十分に絶縁距離を保つことができなかった。一方、継ぎ足し可能な端子カバーは、絶縁距離については確保されているものの、配線状態が変化する際には、連結用カバーをはずしたり、あるいは新たに取り付けたりする必要があり、作業性に問題があった。つまり、充電部の状態に対する適応性と信頼性を両立させることはできなかった。
【０００６】
本発明は、上記のような課題を解決するためになされたもので、充電部の状態に対する適応性と信頼性を両立した端子カバーおよびそれを備えた開閉装置を得ることを目的としている。
【課題を解決するための手段】
【０００７】
本発明の端子カバーは、箱状の機器本体の設置面の反対側である操作面側から見たときの縦方向の端部に複数の端子が横方向に配置された端子部に対し、前記複数の端子のいずれかに電線を接続した状態で着脱自在の端子カバーであって、前記端子部に嵌合するための嵌合部と、前記嵌合部が前記端子部に嵌合された際に、前記端子部の前記操作面側を覆う天板部と、前記天板部の前記横方向における両端から前記設置面側に向かって延伸する側壁部と、前記複数の端子間を隔てるように前記天板部から前記設置面側に向かって延伸する中間壁部と、が一体形成された固定部と、前記固定部に対して前記縦方向に移動可能に取り付けられ、前記縦方向における前記電線を覆う長さを調整するための可動部と、を備え、前記可動部には、前記縦方向の移動の際に前記固定部の天板部と側壁部および中間壁部のそれぞれと摺動する天板部と側壁部および中間壁部が一体形成されるとともに、前記固定部の中間壁部と前記可動部の中間壁部のいずれかは、前記天板部から見たときに、他方の中間壁部を挟み込むように、断面形状がＵ字状をなすことを特徴とする。
【０００８】
また、本発明の第二の端子カバーは、箱状の機器本体の操作面側から見たときの端部に単独あるいは複数の端子が配置された端子部に対し、電線が接続された状態の端子のそれぞれに対して着脱自在の端子カバーであって、前記端子のそれぞれに対して嵌合自在に形成され、前記端子のそれぞれに嵌合された際に、当該端子に接続された電線を囲む四方向のうち、前記操作面の反対側である設置面側を開放して残りの三方向から前記電線を囲む固定部と、前記設置面側を開放して残りの三方向から前記電線を囲む状態を前記固定部から連続するように前記固定部から延長され、前記設置面に平行な面内での変形が可能な可撓部と、を備えたことを特徴とする。
【発明の効果】
【０００９】
本発明の端子カバーによれば、極間の隔壁を途切れさせることなく充電部をカバーする長さを調節できるようにしたので、充電部の状態に対する適応性と信頼性を両立した端子カバーおよびそれを備えた開閉装置を得ることができる。
【図面の簡単な説明】
【００１０】
【図１】本発明の実施の形態１にかかる開閉装置における端子カバーの伸縮状態の違いを示す平面図である。
【図２】本発明の実施の形態１にかかる開閉装置の構成を示す斜視図である。
【図３】本発明の実施の形態１にかかる開閉装置の本体部分の構成を示す平面図である。
【図４】本発明の実施の形態１にかかる開閉装置の端子部と端子カバー部分の構成を示す断面図とその部分拡大図である。
【図５】本発明の実施の形態１にかかる端子カバーの主構成部材の一つである固定部の構成を示す斜視図とその部分拡大図である。
【図６】本発明の実施の形態１にかかる端子カバーの主構成部材の一つである可動部の構成を示す斜視図とその部分拡大図である。
【図７】本発明の実施の形態１にかかる端子カバーの組み立て方法を説明するための状態ごとの斜視図である。
【図８】本発明の実施の形態１にかかる端子カバーの伸縮状態ごとの斜視図である。
【図９】本発明の実施の形態２にかかる開閉装置の構成を示す平面図である。
【図１０】本発明の実施の形態２にかかる開閉装置の構成を示す斜視図である。
【図１１】本発明の実施の形態２にかかる端子カバーの構成を示す斜視図である。
【図１２】本発明の実施の形態２にかかる開閉装置に配線を接続したときの別の状態を示す平面図である。
【図１３】本発明の実施の形態２にかかる開閉装置に配線を接続したときのさらに別の状態を示す平面図である。
【発明を実施するための形態】
【００１１】
実施の形態１．
図１〜図８は、本発明の実施の形態１にかかる端子カバーおよびそれを備えた開閉装置の構成および動作を説明するためのもので、図１は開閉装置の端子カバーを最大限に伸ばした場合から最小限に縮めた場合までの段階ごとの状態を示す端子部近傍部分の平面図、図２は開閉装置の全体構成を示す斜視図、図３は開閉装置から端子カバーを外した本体部分の構成を示す平面図、図４は開閉装置の端子部と端子カバー部分の構成を示す端子部方向から見た断面図とそのうちの領域Ｂに対応する部分拡大図であり、それぞれ図１のＡ−Ａ線による切断面に対応する。そして、図５は端子カバーの分離可能な主構成部材の一方である固定部の構成を示す斜視図とそのうちの領域Ｃに対応する部分拡大図、図６は端子カバーの主構成部材のもう一方である可動部の構成を示す斜視図とそのうちの領域Ｄに対応する部分拡大図、図７は上述した固定部と可動部を組み合わせて端子カバーを組み立てる方法を説明するためのもので、組合せ開始直後と組合せ完了時の斜視図、図８は組み立て後の端子カバーを伸ばしていった場合の伸縮状態ごとの斜視図である。
【００１２】
本実施の形態１にかかる開閉装置１は、図１〜３に示すように、箱状の本体１０の長手方向の両端に、電線５０を接続するための端子部１２、１３が配置され、端子部１２、１３のうち、少なくとも端子部１２には、電線の延伸する方向に伸縮可能な端子カバー２０が嵌め合わされている。なお、開閉装置１は、垂直面に対して設置面１ｆｂを合わせて設置されることが想定され、実際の設置状況においては、長手方向（図１、図３では左右方向）が鉛直方向になるが、本明細書においては、長手方向を縦方向（ｙ方向）と称する。また、図１と図３における上下方向を横方向（ｘ方向）、図１と図３の紙面に垂直な方向（図２では上下方向）を厚み方向（ｚ方向）と称し、設置面１ｆｂの反対側の面を操作面１ｆｔと称する。
【００１３】
なお、端子カバーに関連する部分以外の構成（例えば、本体１０に内蔵された回路を開閉するための機構やハンドル１４等の構成）については、一般的な開閉装置と同様であり、その部分についての説明は省略する。そして開閉装置１としては、単に開閉を行う開閉器と称されるものでもよいが、過電流や漏電を検知して断路する遮断器や漏電遮断器と称されるものであってもよい。また、本実施の形態１にかかる開閉装置１においては、供給側（端子部１３）、負荷側（端子部１２）ともに、３本の電線５０を接続するタイプ（３極）を例に記載したが、これに限ることはなく、２極以上が隣接するものであればよい。さらに、端子カバー２０は端子部１３にも適用することができるが、説明を簡単にするため、端子部１２のみについて記載する。
【００１４】
本体１０の端子部１２には、電線５０（の先端に形成された端子）を接続するための３つの端子１２ｒが、厚み方向の中間部分に形成されている。また、端面１２ｆｕ側には、端子カバー２０をはめ込むための溝部１２ｇｚが、厚み方向に貫通するように形成されている。そして、各端子１２ｒは、中間壁部１２ｗＭや側壁部１２ｗＳと本体１０側の背面１２ｆｂによって、厚み方向に垂直な面方向のうち、３方を囲まれることになる。
【００１５】
端子カバー２０は、端子１２ｒに電線５０が接続された状態で、充電部が外部に露出することを防止するためのもので、プラスチックなどの非導電性材で成形されている。そして、本実施の形態１にかかる端子カバー２０は、端子部１２に固定される固定部２１と、固定部２１に対して摺動可能な可動部２２とで構成され、端子１２ｒの中心からの縦方向長さＬｃを配線状況に合わせて調節できるようになっている。
【００１６】
一方、一般的な端子カバーと同様に、電線５０の延伸方向における端面２０ｆｆには、電線５０を通過させるための開口部２２ｈが端子１２ｒごとに形成されている。また、配線後にカバーを取り付けるため、設置面１ｆｂ側は、上述した開口部２２ｈと連通するように、図４に示すように端子１２ｒごとに開放されている。さらに、伸縮のどの段階においても、隣接する電線５０間（極間）には、絶縁材（中間壁部２２ｗＭまたは中間壁部２１ｗＭ）が介在する状態が維持できるよう、固定部２１、可動部２２は、以下のように構成している。
【００１７】
固定部２１は、図５に示すように、充電部に対して開閉装置１の操作面１ｆｔ側を覆う板状の天板部２１ｔと、外部と充電部とを横方向に隔離するため、天板部２１ｔの横方向における両端から設置面１ｆｂ側に向けて延伸する２つの側壁部２１ｗＳと、極間を隔離するため、天板部２１ｔの横方向における中間部分から側壁部２１ｗＳと平行に設置面１ｆｂ側に向けて延伸する２つの中間壁部２１ｗＭが形成されている。極間を隔離する２つの中間壁部２１ｗＭの端子部１２に対向する側端には、端子部１２の溝部１２ｇｚに沿って摺動するとともに、溝部１２ｇｚの全長にわたって噛みこむように、横方向の両側に突出する突出条２１ｃｚが設けられている。一方、横方向の外側に位置する側壁部２１ｗＳの端子部１２に対向する側端には、内側にのみ突出する突出条２１ｃｚが設けられている。突出条２１ｃｚを端子部１２の溝部１２ｇｚに対し、操作面１ｆｔ側から挿入するようにはめ込むことにより、固定部２１は、端子部１２に対して固定され、かつ、端子部１２における極間および外部との隔離状態を端子カバー２０部分まで連続させることができる。
【００１８】
そして、極間を隔離する中間壁部２１ｗＭは、突出条２１ｃｚが形成された側以外の領域は、後述する可動部２２の溝部２２ｇｚ内に収まるように板厚が薄い薄板部２１ｗｔとなっている。そして、薄板部２１ｗｔのうち、突出条２１ｃｚの反対側の側端部２１ｗｅは、溝部２２ｇｚ内に収まるが、他の部分より板厚が厚くなるように横方向の両側に突出している。さらに、設置面１ｆｂ側の端部近傍には、薄板部２１ｗｔから側端部２１ｗｅまで縦方向に延伸する溝部２１ｇｙが形成されている。さらに、壁部２１ｗのうち、横方向の外側に位置する側壁部２１ｗＳの内側の側面２１ｆｓの設置面１ｆｂ側の端部には、複数の凹部２１ｄｙが縦方向に配置されている。また、天板部２１ｔには、縦方向に開口する開口部２１ａｙが形成されるとともに、操作面１ｆｔから離れるように開口部２１ａｙを横方向にまたぐアーチ部２１ｋｙが縦方向に間隔をあけて配置されている。
【００１９】
一方、可動部２２は、図６に示すように、天板部２２ｔの端子部１２側には、固定部２１の薄板部２１ｗｔが入るように切れ目がはいっている。端子部１２の対向面の反対側、つまり、最先端となる端面２０ｆｆには、電線５０を通すため開口部２２ａが形成されている。そして、外部と充電部とを横方向に隔離するため、天板部２２ｔの横方向の両端から設置面１ｆｂ側に向けて延伸する２つの側壁部２２ｗＳと、極間を隔離するため、天板部２２ｔの横方向における中間部分から側壁部２２ｗＳと平行に設置面１ｆｂ側に向けて延伸する２つの中間壁部２２ｗＭが形成されている。極間を隔離する２つの中間壁部２２ｗＭは、天板部２２ｔの切れ目に対応して厚み方向に貫通し、薄板部２１ｗｔを挟み込むように、厚み方向に垂直な断面形状がＵ字状になる溝部２２ｇｚが形成されている。これにより、後述する組み立て後の端子カバー２０は、端子部１２における極間および外部との隔離状態を端子カバー２０部分まで連続させることができる。
【００２０】
そして、断面形状がＵ字状の中間壁部２２ｗＭの溝部２２ｇｚの内側面の設置面１ｆｂ側の端部近傍には、固定部２１の溝部２１ｇｙに対応して、縦方向に延伸する突出条２２ｃｙが形成されている。この突出条２２ｃｙは、固定部２１の側端部２１ｗｅ部分の縦方向の長さである幅Ｗｙに対応し、溝部２２ｇｚの底面から所定長さ間隔Ｓｙをあけるように延伸している。また、内側面の端子部１２側の端部には、後述する組み立て後に、固定部２１の側端部２１ｗｅが抜け出さないよう、厚み方向に沿って内側に突出する抜け止め用突出条２２ｃｚが形成されている。さらに、横方向の外側に位置する側壁部２２ｗＳの外側の側面２２ｆｓの設置面１ｆｂ側、かつ端子部１２側の端部（隅部）には、固定部２１の複数の凹部２１ｄｙのうちのいずれかに嵌め込むための突起２２ｃｐが形成されている。また、天板部２２ｔには、固定部２１の開口部２１ａｙを抜け、アーチ部２１ｋｙのいずれかに重ねることができるアーチ部２２ｋｙが縦方向に間隔をあけて配置されている。
【００２１】
次に、上述した固定部２１と可動部２２を組み合わせて端子カバー２０を組み立てる方法について説明する。
図７に示すように、可動部２２のＵ字状の溝部２２ｇｚの設置面１ｆｂ側に、固定部２１の薄板部２１ｗｔを天板部２２ｔ側から挿入する。このとき、薄板部２２ｗｔにおける端子部１２側の端部に、溝部２２ｇｚの端子部１２側の端部が当たるようにして挿入する。これにより、薄板部２１ｗｔの側端部２１ｗｅが、溝部２２ｇｚの抜け止め用突出条２２ｃｚよりも溝部２２ｇｚの内部に位置することになる。さらに、薄板部２１ｗｔの側端部２１ｗｅが、突出条２２ｃｙと溝部２２ｇｚの底面との隙間に位置することになる。
【００２２】
この状態で、図７の下段のように、可動部２２を固定部２１に対して厚み方向に目一杯押し込むと、可動部２２の突出条２２ｃｙが、固定部２１の溝部２１ｇｙにはまり込む。さらに、可動部２２の突起２２ｃｐが、固定部の複数の凹部２１ｄｙのうち、最も端子部１２側よりの凹部２１ｄｙにはまり込む。これにより、端子カバー２０が組みあがる。
【００２３】
この組みあがった状態の端子カバー２０をそのまま端子部１２に取り付けると、図１（ｃ）に示すように固定部２１から端面２２ｆｆへの延長長さＬｅが最少となり、端子１２ｒの中心からの縦方向長さＬｃが最短の状態となる。また、固定部２１のアーチ部２１ｋｙの少なくとも一つと、可動部２２のアーチ部２２ｋｙの少なくとも一つ（図１（ｃ）では３つ全て）が重なった状態となる。
【００２４】
一方、図８に示すように、図８（ｃ）の状態から、固定部２１に設けられた半月形の切込み部２１ｍに指を当てると、可動部２２を縦方向に容易に引き出すことができる。このとき、可動部２２の突出条２２ｃｙが固定部２１の溝部２１ｇｙに対して摺動可能にはまり込んでおり、固定部２１の天板部２１ｔの内壁に可動部２２の天板部２２ｔが接した状態を維持している。そのため、どのような引出位置（図１あるいは図８の（ａ）から（ｃ））においても、固定部２１と可動部２２の平行関係が維持されている。
【００２５】
そして、どのような引き出し位置であっても、固定部２１の薄板部２１ｗｔは、可動部２２の溝部２１ｇｙ内に入っており、かつ、最大の引出位置であっても、切込み部２１ｍ部分と充電部との間には、可動部２２の壁部２２ｗが介在するようになっている。このため、端子カバー２０は、どのような引き出し位置であっても、端子部１２における極間および外部との隔離状態を端面２０ｆｆ部分まで連続させることができる。
【００２６】
さらに、引出状態に応じて可動部２２の突起２２ｃｐが、固定部の複数の凹部２１ｄｙのうちのいずれかにはまり込むことで、数段階の引出位置で容易に位置決め（保持）することができる。また、その際に、可動部２２のアーチ部２２ｋｙのいずれかが、固定部のアーチ部２１ｋｙに重なるように、縦方向の配置を設定していれば、例えば、ワイヤーなどの固定具により、端子部１２への取り付け後であっても、ロックをかけることが可能となる。
【００２７】
これにより、配線作業者は、長さの異なる数種類の端子カバーをその都度購入したり、多数の種類を用意したりする必要はなく、配線状態に応じて最適な（延長長さＬｅの）端子カバー２０を有する開閉装置１を得る（設置する）ことができる。
【００２８】
なお、上記実施の形態においては、可動部２２の天板部２２ｔが固定部２１の天板部２１ｔよりも設置面１ｆｂ側に位置するように構成したため、可動部２２の中間壁部２２ｗＭの断面形状をＵ字状としたが、これに限ることはない。例えば、固定部２１の天板部２１ｔが可動部２２の天板部２２ｔよりも設置面１ｆｂ側に位置するように構成した場合、逆に固定部２１の中間壁部２１ｗＭをＵ字状にしてもよい。
【００２９】
以上のように、本発明の実施の形態１にかかる端子カバー２０によれば、箱状の機器本体（本体１０）の設置面１ｆｂの反対側である操作面１ｆｔ側から見たときの縦方向（ｙ方向）の端部に複数の端子１２ｒが横方向（ｘ方向）に配置された端子部１２に対し、複数の端子１２ｒのいずれかに電線５０を接続した状態で着脱自在の端子カバー２０であって、端子部１２（の溝部１２ｇｚ）に嵌合するための嵌合部（突出条２１ｃｚ）と、嵌合部（突出条２１ｃｚ）が端子部１２に嵌合された際に、端子部１２の操作面１ｆｔ側を覆う天板部２１ｔと、天板部２１ｔの横方向（ｘ方向）における両端から設置面１ｆｂ側に向かって延伸する側壁部２１ｗＳと、複数の端子１２ｒ間を隔てるように天板部２１ｔから設置面１ｆｂ側に向かって延伸する中間壁部２１ｗＭと、が一体形成された固定部２１と、固定部２１に対して縦方向（ｙ方向）に移動可能に取り付けられ、縦方向（ｙ方向）における電線５０を覆う長さＬｃを調整するための可動部２２と、を備え、可動部２２には、縦方向（ｙ方向）の移動の際に固定部２１の天板部２１ｔと側壁部２１ｗＳおよび中間壁部２１ｗＭのそれぞれと摺動する天板部２２ｔと側壁部２２ｗＳおよび中間壁部２２ｗＭが一体形成されるとともに、固定部２１の中間壁部２１ｗＭと可動部２２の中間壁部２２ｗＭのいずれか（本実施形態では、２２ｗＭ）は、天板部２１ｔ（または天板部２２ｔ）側から見たときに、他方の中間壁部（本実施形態では、２１ｗＭ）を挟み込むように、断面形状がＵ字状をなすように構成したので、１種類の端子カバー２０で、極間の絶縁を損なうことなく、充電部の長さが異なる場合にも対応できる。つまり、充電部の状態に対する適応性と信頼性を両立した端子カバー２０およびそれを備えた開閉装置１を得ることができる。
【００３０】
とくに、可動部２２は、固定部２１に対して互いの天板部２１ｔ、２２ｔを平行に保った状態で、互いの天板部２１ｔ、２２ｔに垂直な方向に嵌め合あわせて取り付けられるように構成したので、縦方向のどの長さに調節しても、極間には、中間壁部２２ｗＭと中間壁部２１ｗＭのいずれかが必ず介在するようになる。また、縦方向に最大限引き出しても外れたりすることがない。
【００３１】
固定部２１と可動部２２には、縦方向（ｙ方向）における所定位置にて互いに噛みあい、位置を固定するための位置決め構造（例えば、突起２２ｃｐと複数の凹部２１ｄｙの組合せ）が形成されているので、縦方向長さを容易に固定することができ、また容易に解除することもできる。
【００３２】
実施の形態２． 
実施の形態１においては、端子部のすべての極をまとめてカバーする端子カバーについて説明した。本実施の形態２にかかる端子カバーは、極ごとに覆うとともに、長さだけでなく形状も変化できるように構成した。図９〜図１３は、本発明の実施の形態２にかかる端子カバーおよびそれを備えた開閉装置の構成および動作を説明するためのもので、図９は一つの極に端子カバーを設けた開閉装置の端子部近傍の状態を示す平面図、図１０は図９と同じ状態の開閉装置の全体構成を示す斜視図、図１１は端子カバーの構成を示すため、設置面側から見たときの斜視図である。
【００３３】
また、図１２は湾曲した配線状態に対して端子カバーを配線の曲りに合わせて湾曲させた状態での開閉装置の端子部近傍の状態を示す平面図、図１３は２つの極に端子カバーを設けた開閉装置の端子部近傍の状態を示す平面図である。なお、本実施の形態２にかかる開閉装置においても、端子カバーに関連する部分以外の構成（例えば、本体１０の内部構成やハンドル１４等の構成）については、一般的な開閉装置と同様であり、その部分についての説明は省略する。また、本実施の形態２にかかる開閉装置１においても、供給側、負荷側ともに、３本の電線５０を接続する３極タイプを例に記載したが、これに限ることはない。例えば、単極タイプでも適用できる。さらに、端子カバーは供給側にも適用することができるが、説明を簡単にするため、負荷側のみについて記載する。
【００３４】
本実施の形態２にかかる開閉装置１に用いた端子カバー２３は、図９〜図１１に示すように端子部１２に固定するための固定部２３ｂと、電線５０に合わせて伸縮可能な蛇腹形状をなす可撓部２３ｆとで構成される。なお、図９〜図１１では、端子カバー２３の縦方向長さ（可撓部２３ｆの長さＬｆ）が最大となる状態を示している。
【００３５】
端子カバー２３も、端子１２ｒに電線５０が接続された状態で、充電部が外部に露出することを防止するためのもので、プラスチックなどの非導電性材で固定部２３ｂと可撓部２３ｆが一体成形されている。固定部２３ｂには、実施の形態１にかかる端子カバー２の固定部２１と同様、充電部に対して開閉装置１の操作面１ｆｔ側を覆う板状の天板部２３ｔと、極間あるいは外部と充電部とを横方向に隔離するため、天板部２３ｔから設置面１ｆｂ側に向けて延伸する壁部２３ｗｂが形成されている。
【００３６】
そして、可撓部２３ｆも、可撓性を有するために蛇腹状にはなっているものの、天板部２３ｔｆおよび壁部２３ｗｆは、それぞれ固定部２３ｂの天板部２３ｔｂ、壁部２３ｗｂと連続している。そのため、突出条２３ｃｚを端子部１２の溝部１２ｇｚの操作面１ｆｔ側から挿入するようにはめ込むことにより、端子カバー２３は、端子部１２に対して固定され、かつ、端子部１２における極間および外部との隔離状態を端面２３ｆｆ部分まで連続させることができる。
【００３７】
そして、可撓部２３ｆは、山部と谷部が交互に形成されたいわゆる蛇腹形状であり、谷部および山部の曲げ角度を鋭角側に変化させると、端子カバー２３を短く調整でき、反対に鈍角側に変化させると、端子カバー２３を長く調整できる。さらに、図１２に示すように、図中左側の曲げ角度を鋭角側、右側の曲げ角度を鈍角側に変化させると、左方向へ曲げることができる。反対方向、つまり右方向も逆にすればよいだけである。
【００３８】
また、端子カバー２３は、極ごとに装着、いわゆる単極用となっているため、配線を行わない箇所ではこの端子カバー２３は装着せず、配線の必要な箇所にのみ装着できる。しかも、端子カバー２３の突出条２３ｃｚ（および壁部２３ｗｂ）は、溝部１２ｇｚの横方向の半分までしか埋まらないようにしているので、隣接する極に対しても装着することが可能である。もちろん、隣接する極だけではなく、図１３に示すように、離れた極に設置することもできる。その際、極ごとに異なる形状に変化させることができることは言うまでもない。
【００３９】
一方、実施の形態１と同様に、端面２３ｆｆには、電線５０を通過させるための開口部２３ｈが形成されている。また、配線後にカバーを取り付けるため、設置面１ｆｂ側は、開口部２３ｈと連通するように、図１１に示すように開放されている。しかし、可撓部２３ｆの両端、つまり端面２３ｆｆ部分と固定部２３ｂとの境界部分には、それぞれドーム形状を維持するための支持体２３ｓｆ、２３ｓｂが形成されている。これにより、可撓部２３ｆの伸縮状態、湾曲状態をどのように変化させた場合でも、設置面１ｆｂ側を開放し、かつ他の３方については、充電部と外部または極間には、絶縁材が介在する状態が維持できる。
【００４０】
なお、可撓部２３ｆについては、山部と谷部それぞれ任意の位置で固定できるよう、肉厚の厚い形状としている。材料としては、上述したプラスチックのほか、エラストマー等の合成有機材料でもよく、吸湿性等がなく、絶縁性を維持できるのであれば、無機材料や革や紙などの天然素材でもよい。
【００４１】
以上のようにこの発明の実施の形態２による端子カバー２３によれば、箱状の機器本体（本体１０）の操作面１ｆｔ側から見たときの縦方向（ｙ方向）の端部に単独あるいは複数の端子１２ｒが配置された端子部１２に対し、電線５０が接続された状態の端子１２ｒのそれぞれに対して着脱自在の端子カバー２３であって、端子１２ｒのそれぞれに対して嵌合自在に形成され、端子１２ｒのそれぞれに嵌合された際に、当該端子１２ｒに接続された電線５０を囲む四方向のうち、操作面１ｆｔの反対側である設置面１ｆｂ側を開放して残りの三方向から電線５０を囲む固定部２３ｂと、設置面１ｆｂ側を開放して残りの三方向から電線５０を囲む状態を固定部２３ｂから連続するように固定部２３ｂから延長され、設置面１ｆｂに平行な面内での変形が可能な可撓部２３ｆと、を備えるように構成したので、１種類の端子カバー２３で、極間の絶縁を損なうことなく、充電部の長さが異なる場合にも対応できる。つまり、充電部の状態に対する適応性と信頼性を両立した端子カバー２３およびそれを備えた開閉装置１を得ることができる。
【００４２】
さらに、配線を左右方向に曲げたい場合でも、端子カバー２３部分から曲げることができるので、カバーから出た部分から曲げ始める場合と比べて配線スペースが少なくてすみ、開閉装置１等の空間実装効率が向上する。とくに、極ごとに異なる形状にできるので、さらに省スペース性が向上する。
【００４３】
可撓部２３ｆを蛇腹状に形成したので、上述した作用効果を容易に実現できる。また、可撓部２３ｆと固定部２３ｂを一体形成すれば、絶縁信頼性がさらに向上する。さらには、可撓部２３ｆにおける固定部２３ｂ側の端部と、固定部２３ｂから離れる方向の端面２３ｆｆ部分には、設置面１ｆｂ側を開放して残りの三方向から電線５０を囲む形状を維持するための支持体２３ｓｂ、２３ｓｆが形成されているので、可撓部２３ｆをどのような形に変形させても、取り付け性、信頼性を損ねることがない。
【００４４】
なお、上記各実施の形態における端子カバー２０、２３は、開閉装置１の一部として例示したが、これに限ることはない。例えば、電力計等の計測機器等、配線用の端子がある機器であれば、どのような装置にも適用可能である。
【符号の説明】
【００４５】
１：開閉装置、  １ｆｂ：設置面、  １ｆｔ：操作面、
１０：本体、  １２：端子部、  １２ｇｚ：溝部、  １３：端子部、
２０：端子カバー、  ２０ａ：開口部、  ２０ｆｆ：端面、
２１：固定部、  ２１ａｙ：開口部、  ２１ｃｚ：突出条、  ２１ｄｙ：凹部、  ２１ｆｓ：側面、  ２１ｇｙ：溝部、  ２１ｋｙ：アーチ部、  ２１ｔ：天板部、  ２１ｗｅ：側端部、  ２１ｗＭ：中間壁部、  ２１ｗＳ：側壁部、  ２１ｗｔ：薄板部、
２２：可動部、  ２２ｃｐ：、  ２２ｃｙ：突出条、  ２２ｃｚ：抜け止め用突出条、  ２２ｆｓ：側面、  ２２ｇｚ：溝部、  ２２ｋｙ：アーチ部、  ２２ｗＭ：中間壁部、  ２２ｗＳ：側壁部、
２３：端子カバー、  ２３ｂ：固定部、  ２３ｃｚ：突出条、  ２３ｆ：可撓部、  ２３ｆｆ：端面、  ２３ｈ：開口部、  ２３ｓｂ：支持体、  ２３ｓｆ：支持体、  ２３ｔ：天板部、  ２３ｔｂ：（固定部の）天板部、  ２３ｔｆ：（可撓部の）天板部、  ２３ｗｂ：（固定部の）壁部、  ２３ｗｆ：（可撓部の）壁部、
５０：電線。
【図１】
2018152366.tif 000003
【図２】
2018152366.tif 000004
【図３】
2018152366.tif 000005
【図４】
2018152366.tif 000006
【図５】
2018152366.tif 000007
【図６】
2018152366.tif 000008
【図７】
2018152366.tif 000009
【図８】
2018152366.tif 000010
【図９】
2018152366.tif 000011
【図１０】
2018152366.tif 000012
【図１１】
2018152366.tif 000013
【図１２】
2018152366.tif 000014
【図１３】
2018152366.tif 000015